(57)【要約】【課題】  スタンプモード時、画像の読み取りが終了したすべての原稿に対して、押印動作を行っていた。そのため、画像面の光沢度が高い原稿に対して、スタンプの押印動作が行なわれた場合は、スタンプのインクが原稿に染み込まず、画像面に付着したスタンプのインクがこすれたり、他の原稿に再付着するという問題があった。【解決手段】  原稿の画像面の光沢度を検出し、スタンプモード時、画像面の光沢度が高い原稿に対しては、画像面への押印動作を禁止する。【選択図】        図１１
2006229687.tif 000002
【特許請求の範囲】
【請求項１】
原稿を積載する積載手段と、
該積載手段に積載された原稿を１枚ずつ給紙する給紙手段と、
該給紙手段により給紙された原稿の画像を読み取る読み取り手段と、
該読み取り手段により読み取られた原稿に対して押印する押印手段と、
原稿の画像の光沢度を検出する検出手段と、
該検出手段により検出された検出信号に基づいて装置を制御する制御手段と、を有し、
該検出手段により検出された検出信号に基づき該押印手段による押印動作を禁止するように該制御手段が前記押印手段を制御することを特徴とする画像読取装置。
【請求項２】
該検出手段による検出動作を原稿を搬送しながら行なうことを特徴とする請求項１に記載の画像読取装置。
【請求項３】
該検出手段を原稿の幅方向の略中央部に配置することを特徴とする請求項１に記載の画像読取装置。
【請求項４】
前記検出手段によって検出された原稿の画像の光沢度が所定値よりも高い場合に前記制御手段は前記押印手段が押印動作を行なわないように制御することを特徴とする請求項１乃至３のいずれか１項に記載の画像読取装置。
【発明の詳細な説明】
【技術分野】
【０００１】
本発明は、画像読取装置に関し、特に、画像面の読み取りが終了した原稿に対して、スタンプの押印動作を行なうようにしたものに関する。
【背景技術】
【０００２】
従来、ファックス機能を有する原稿読み取り装置の原稿読み取り位置に自動的に原稿を給送する装置があり、このような原稿給送装置においては、画像面の読み取りが終了した原稿に対して、読み取りが行なわれたことを示すスタンプの押印動作を行なうスタンプモードを備えたものがある。なお、このスタンプの押印動作は、スタンプモードがユーザーにより選択的に設定された時のみ、画像面の読み取りが終了した原稿に対して、行われる。
【０００３】
ここで、スタンプモードとは、画像面の読み取りが終了した原稿に対して、画像面にスタンプのインクを押印するモードである。これにより、例えば、２枚以上の原稿が重なり合って給送され、重なりの最下の原稿の画像面のみが読み取られ、残りの原稿の画像面が読み取られずに、排紙トレイ上に排出された場合でも、押印の有無により、画像読み取り済原稿と画像読み取り未済原稿とを判別することが可能になる（例えば、特許文献１参照）。
【特許文献１】特開平７−７９３１３号公報
【発明の開示】
【発明が解決しようとする課題】
【０００４】
しかしながら、このような従来の画像読取装置においては、スタンプの押印動作が、スタンプモード時、画像の読み取りが終了したすべての原稿に対して、行なわれていた。そのため、画像面の光沢度が高い原稿に対して、スタンプの押印動作が行なわれた場合は、スタンプのインクが原稿に染み込まず、画像面に付着したスタンプのインクがこすれたり、他の原稿に再付着するという問題があった。
【０００５】
本発明は、以上の点に着目して成されたもので、光沢度の高い原稿の画像面にスタンプのインクが付着した場合のスタンプのインクのこすれや他の原稿への再付着を未然に防止することが可能な画像読取装置を提供することを目的とする。
【課題を解決するための手段】
【０００６】
そこで、本発明では、このような問題を解決するためになされたものであり、原稿の画像面の光沢度を検出し、画像面の光沢度に基づいて、画像面への押印動作を禁止する。即ち、本発明は、少なくとも一枚の原稿を積載可能な積載手段と、該積載手段に積載された原稿を一枚ずつ給紙する給紙手段と、該給紙手段により給紙された原稿の画像を読み取る読み取り手段と、該読み取り手段により読み取られた原稿に対して押印する押印手段と、原稿の画像の光沢度を検出する検出手段とを有し、前記検出手段により検出された検出信号に基づき該押印手段による押印動作を禁止するように該制御手段が前記押印手段を制御することを特徴とする画像読取装置である。
【発明の効果】
【０００７】
本発明によれば、原稿の画像面の光沢度を検出することにより、スタンプモード時、画像面の光沢度の高い原稿に対しては、スタンプの押印動作を禁止する。これにより、光沢度の高い原稿の画像面にスタンプのインクが付着した場合のスタンプのインクのこすれや他の原稿への再付着を未然に防止することが可能になる。
【発明を実施するための最良の形態】
【０００８】
本発明の実施の形態を、図面を参照しながら詳細に説明する。以下の実施の形態では、本発明の画像読取装置を電子写真方式の画像形成装置に適用した例について説明する。
【実施例】
【０００９】
図１は、本発明の実施の形態に係る画像読取装置を構成する原稿給送装置Ａを備えた画像形成装置の外観図である。
【００１０】
Ａは原稿給送装置であり、給紙トレイ１上にユーザーが原稿束ＤＸをフェイスダウン（画像面下向き）でセットするものである。また、Ｂは画像形成装置の一例であるデジタル複合複写機（以下、本体という）であり、コピー機能とファックス機能とをあわせ持っている。また、本体Ｂには、原稿給送装置Ａにより給送され、画像面の読み取りが終了した原稿Ｄを積載する排紙トレイ２が取り付けられる。
【００１１】
（構成の説明）
図２は、原稿給送装置Ａの断面図である。
【００１２】
同図において、３は一対の幅方向規制板で給紙トレイ１上に配置され、原稿束ＤＸの幅方向にスライド自在に可動し、原稿Ｄの搬送安定性を確保する。４は紙押さえ板で給送時、原稿束ＤＸの上面に下降し、原稿束ＤＸの下面を給紙ローラ５に押し当てる。また、後述するように、紙押さえ板４は通常、ソレノイドＳＬ１によりホームポジションである上方に退避し、原稿束ＤＸのセット作業を妨害しないようにする。５は給紙ローラで分離ローラ８の回転駆動に従動し、原稿束ＤＸを給送する。６は紙ストッパ板で原稿束ＤＸをセットする際の突き当て部材であり、後述するように、通常、ソレノイドＳＬ１によりホームポジションである下方に保持され、給送時、上方に退避し、原稿束ＤＸの進入口を開放する。
【００１３】
７は分離パッド、８は分離ローラでこれらが当接することにより所定の分離圧力を発生し、原稿束ＤＸを１枚ずつに分離し、搬送する。９はレジストローラ、１０はピンチローラでこれらが形成する停止したニップ部に分離搬送された原稿Ｄの先端を突き当て、ループを形成することで、原稿Ｄの先端をニップ部と平行になるようにする。１１は白色板で薄く透け易い原稿Ｄでも画像面の読み取りを可能にする部材である。１２は排紙ローラ、１３はピンチローラでこれらにより画像面の読み取りが終了した原稿Ｄを排紙トレイ２上に排出する。
【００１４】
また、２０はスタンプ押印ユニットであり、このスタンプ押印ユニット２０は、プランジャ２０ａとソレノイド２０ｂとを備えるものである。動作及び周辺構成についての詳細は後述する。
【００１５】
さらに、３０は画像光沢度検出ユニットであり、この画像光沢度検出ユニット３０は、光源３０ａとフォトトランジスタ３０ｂとを備えるものである。動作及び周辺構成についての詳細は後述する。
【００１６】
（センサ配置の説明）
図３は、原稿給送装置Ａのセンサ配置を示す図である。
【００１７】
同図において、ＰＩ１は原稿セット検知センサで給紙トレイ１上に原稿束ＤＸがセットされたことを検知するセンサである。ＰＩ２はレジストセンサで分離搬送された原稿Ｄの先端を検知し、レジストローラ９とピンチローラ１０とから形成されるニップ部への突き当て量（ループ量）を制御するタイミングを計るセンサである。ＰＩ３は排紙センサで画像面の読み取りが終了した原稿Ｄの先端を検知し、後述するスタンプ押印ユニット２０による押印動作のタイミングを計るセンサである。
【００１８】
（駆動系の説明）
図４は、原稿給送装置Ａの駆動系を示す図である。
【００１９】
同図において、Ｍ１は正逆転可能なモータでありワンウェイクラッチＣＬ１を介して、給紙ローラ５、分離ローラ８、レジストローラ９及び排紙ローラ１２を駆動する。モータＭ１が正転する場合、ワンウェイクラッチＣＬ１がロックすることにより分離ローラ８が駆動し、給紙ローラ５がこれに従動する。同時に、レジストローラ９及び排紙ローラ１２はワンウェイクラッチＣＬ１が空転することにより停止する。また、モータＭ１が逆転する場合、ワンウェイクラッチＣＬ１がロックすることによりレジストローラ９及び排紙ローラ１２が駆動する。同時に、分離ローラ８及び給紙ローラ６はワンウェイクラッチＣＬ１が空転することにより停止する。
【００２０】
ＳＬ１はソレノイドであり、紙押さえ板４及び紙ストッパ板６を駆動する。図５に示すように、ソレノイドＳＬ１に電流を通すと、プランジャ部が図の矢印の方向に引かれ、それぞれ、ホームポジションから、紙押さえ板４が下降し、紙ストッパ板６が上昇する。
【００２１】
（制御回路の説明）
図６は、原稿給送装置Ａの制御回路を示す図である。
【００２２】
制御回路はＣＰＵ（マイクロプロセッサ）３００を中心に構成され、ＣＰＵ３００の入出力ポートには、各種負荷のドライブ回路及びセンサ信号が接続される。また、制御回路は図示しない電池によりバックアップされるＲＡＭと制御シーケンスソフトが格納されるＲＯＭとを備える。また、ＣＰＵ３００には、本体Ｂとのデータ通信を制御するためのＩＣ３０１が接続される。
【００２３】
モータＭ１はドライバ３０２により、また、ソレノイドＳＬ１はドライバ３０３により駆動され、それぞれ、ＣＰＵ３００の入出力ポートに接続される信号により、その動作を制御される。原稿セット検知センサＰＩ１、レジストセンサＰＩ２及び排紙センサＰＩ３の各センサは、ＣＰＵ３００の入出力ポートに接続され、原稿給送装置Ａ内における原稿Ｄの挙動をモニタするために用いられる。また、スタンプ押印ユニット２０及び画像光沢度検出ユニット３０は、それぞれ、ＣＰＵ３００の入出力ポートに接続される信号により、その動作を制御される。
【００２４】
次に、原稿処理動作の概略を図７を参照しながら説明する。
【００２５】
ａ．給紙動作（図７−ａ）
ユーザーにより、給紙トレイ１上に原稿束ＤＸがセットされると、原稿セット検知センサＰＩ１がＯＮする。この状態で、本体Ｂの図示しないスタートキーが押されると、ソレノイドＳＬ１がＯＮすることにより、紙押さえ板４が下降すると同時に紙ストッパ板６が上昇し、原稿束ＤＸの進入口が開放される。続いて、モータＭ１が正転し、給紙ローラ５が回転することにより、原稿束ＤＸが給送される。
【００２６】
ｂ．分離動作（図７−ｂ）
給送された原稿束ＤＸは、分離パッド７と分離ローラ８とにより分離され、最下紙Ｄ１から順番に１枚ずつ分離搬送される。以後の説明では、給紙トレイ１上にセットされる原稿束ＤＸの下から順番に原稿Ｄ１、原稿Ｄ２、原稿Ｄ３・・・とする。また、特に、順番を指定しない場合は原稿Ｄとする。
【００２７】
ｃ．レジスト動作（図７−ｃ）
分離搬送された原稿Ｄの先端をワンウェイクラッチＣＬ１により停止しているレジストローラ９とピンチローラ１０とで形成されるニップ部に突き当て、ループを形成し、原稿Ｄの斜行を補正する。
【００２８】
ｄ．搬送動作（図７−ｄ）
原稿Ｄの斜行補正が終了すると、モータＭ１が逆転し、レジストローラ９が回転することにより、原稿Ｄを画像読み取り待機位置Ｐ１まで搬送する。また、画像光沢度検出ユニット３０による原稿Ｄの画像面の光沢度の検出を開始する。
【００２９】
ｅ．読み取り動作（図７−ｅ）
原稿Ｄの先端が画像読み取り待機位置Ｐ１に到達すると、モータＭ１が停止し、本体Ｂに原稿Ｄの画像面の読み取り開始信号が送られ、再度、モータＭ１が逆転し、原稿Ｄの画像面の読み取りを行なう。そして、原稿Ｄの後端が画像読み取り位置Ｐ２を通過すると、再度、モータＭ１が停止する。また、画像光沢度検出ユニット３０による原稿Ｄの画像面の光沢度の検出を終了する。
【００３０】
ｆ．スタンプ押印動作（図７−ｆ）
この時、ユーザーの選択により、スタンプモードが設定されている場合は、スタンプ押印ユニット２０のソレノイド２０ｂに電流を通すことにより、プランジャ２０ａを駆動し、原稿Ｄの画像面に押印する。
【００３１】
ｇ．排紙動作（図７−ｇ）
（押印動作が終了すると、）再度、モータＭ１が逆転し、排紙ローラ１２が回転することにより、原稿Ｄを排紙トレイ２上に排出し、フェイスダウン（画像面下向き）で積載する。
【００３２】
図８は、上記原稿処理動作のタイミングチャートである。
【００３３】
次に、スタンプ押印ユニット２０による押印動作及びその周辺の構成について詳細に説明する。
【００３４】
スタンプモード時、原稿Ｄの後端が画像読み取り位置Ｐ２を通過すると、モータＭ１が停止し、原稿Ｄは排紙ローラ１２とピンチロ−ラ１３とで形成されるニップ部に保持される。この状態を図２の矢印の方向から示したものが図９（ａ），（ｂ）である。このとき、ソレノイド２０ｂに電流を通すことにより、プランジャ２０ａを駆動し、その先端部を原稿搬送路内に突出させて、原稿搬送路内に停止している原稿Ｄの画像面に押印する。
【００３５】
また、スタンプ押印ユニット２０の周辺では、上方の原稿搬送ガイドの形状において、プランジャ２０ａの先端部の対向面Ｆを原稿Ｄの搬送面Ｇより低くしている（凹ましている）。
【００３６】
これにより、例えば、原稿給送装置Ａを開閉する時や本体Ｂに設置するために傾ける時に、対向面Ｆにスタンプのインクが付着しても、その後、搬送される原稿Ｄに、付着したスタンプのインクが再付着して、原稿Ｄを汚してしまうことを防止している。
【００３７】
次に、画像光沢度検出ユニット３０による検出動作及びその周辺の構成について図１０を参照しながら詳細に説明する。
【００３８】
画像光沢度検出ユニット３０はレジストローラ９の下流でかつ画像読み取り待機位置Ｐ１の上流に配置されている。また、画像光沢度検出ユニットの内部には、搬送される原稿Ｄの画像面とこの面に略直交する直線Ｐ，Ｐ’とで形成される交点Ｈに向けて、直線Ｐ，Ｐ’となす入射角α１が２０°〜８５°の範囲内で好ましくは６０°に設定され、図の矢印の方向に入射光Ｉ１を発光する光源３０ａと直線Ｐ，Ｐ’となす反射角α０が２０°〜８５°の範囲内で好ましくは６０°で、図の矢印の方向に反射する反射光Ｉ０を受光するフォトトランジスタ３０ｂとが配置されている。
【００３９】
そして、光源３０ａには、本実施例では、発光体であるＬＥＤでそのピーク波長が４００〜９００ｍμの範囲内で好ましくは６００ｍμのものが用いられ、この反射光Ｉ０を受光するフォトトランジスタ３０ｂの分光感度はＬＥＤの波長に合わせられている。
【００４０】
また、原稿Ｄの画像面から光源３０ａ及びフォトトランジスタ３０ｂのそれぞれの先端部までの距離Ｓは１ｍｍ〜１０ｍｍの範囲内で好ましくは６ｍｍ前後に設定されている。
【００４１】
そして、原稿Ｄが図２の左方向に搬送される場合は、光源３０ａ及びフォトトランジスタ３０ｂは原稿Ｄの幅方向の略中央部にかつ原稿束ＤＸの先端（紙ストッパ板６）より下流にかつ光源３０ａは奥側にフォトトランジスタ３０ｂは光源３０ａと対称に手前側に配置されている。
【００４２】
なお、光源３０ａ及びフォトトランジスタ３０ｂの配置は、好ましくは原稿Ｄの幅方向において、スタンプ押印ユニット２０と同じ位置に配置され、略中央部に限らず、本体Ｂや原稿Ｄの画像特性に応じて適所に配置されても良い。
【００４３】
以上、光源３０ａ及びフォトトランジスタ３０ｂのそれぞれの性能や配置の好ましい一例をまとめると、光源３０ａであるＬＥＤのピーク波長は６００ｍμでフォトトランジスタ３０ｂの分光感度はＬＥＤの波長に合わせる。光源３０ａの原稿Ｄの画像面に対する入射角（発光角）α１は６０°、これに対するフォトトランジスタ３０ｂの反射角（受光角）α０も６０°、原稿Ｄの画像面から光源３０ａ及びフォトトランジスタ３０ｂのそれぞれの先端部までの距離Ｓは６ｍｍである。
【００４４】
そして、出力信号をＩ０／Ｉ１として、原稿Ｄの画像面の光沢度を認識する。つまり、光源３０ａの出力電圧を基準電圧とした場合の同じゲインによるフォトトランジスタ３０ｂの出力電圧との比であり、本実施例では、出力信号Ｉ０／Ｉ１の値が、３０％以上のものを画像面の光沢度が高い原稿（光沢画像原稿）ＤＨとして認識する。
【００４５】
また、光源３０ａの原稿Ｄの画像面上での照射幅をＬｍｍ、原稿の搬送速度をＶｍｍ／秒とした場合、画像面の光沢度の検出信号のデューティが略Ｌ／Ｖ秒以上、連続して検出された時は、この検出信号を有効とし、それ未満の場合は無効とする。従って、例えば、文字原稿などの場合は、不連続に検出されるため、その検出信号は無効となり、画像面の光沢度が低い原稿（非光沢画像原稿）ＤＬとして認識される。
【００４６】
このようにして、画像光沢度検出ユニット３０は搬送される原稿Ｄの画像面の光沢度を検出し、検出された光沢度の情報は、本体Ｂに内蔵されるＣＰＵ（マイクロプロセッサ）２００のメモリにインプットされる。そして、本実施例の原稿給送装置Ａを備えるデジタル複合複写機Ｂにおいては、この情報に基づくＣＰＵ２００の制御により、スタンプモード時、出力信号Ｉ０／Ｉ１の値が３０％以上の画像面の光沢度が高い原稿ＤＨに対しては、スタンプ押印ユニット２０による画像面への押圧動作を禁止する。
【００４７】
図１１は上記原稿処理動作のフローチャートである。
【００４８】
次に、前述したような原稿給送装置Ａを用いて画像を形成する画像形成装置の実施の形態を図１２を参照しながら簡単に説明する。
【００４９】
図１２において、レジストローラ９により搬送された原稿Ｄは、画像読み取り位置Ｐ２上を通過し、画像情報を読み取られる。この画像情報に基づき、原稿給送装置Ａの下方に配置された画像形成装置により画像が形成される。すなわち、図示しないランプにより照射されたプラテンガラス１００上を通過する原稿Ｄから反射された光１０１は、ＣＣＤ等の光学読取装置１０２により画像情報信号に変換され、この情報に応じてレーザスキャナユニット１０３からレーザが照射され、このレーザにより像担持体としての感光ドラム１０４が露光され潜像が形成される。
【００５０】
この潜像は、現像装置のトナー１０５により現像され、現像された現像像は転写手段１０６，１０７によりレジストローラ１０８により給送されるシートＰに転写される。このシートＰは、着脱カセット１０９，１１０、デッキ１１１又は手差しトレイ１１２からレジストローラ１０８に給送される。
【００５１】
前記現像像を転写されたシートＰは、搬送ベルト１１３により定着装置１１４へ送られて定着され、片面コピーの場合は、搬送ローラにより排紙トレイ１１５に排紙される。両面コピーの場合には、片面定着後のシートＰはフラッパ１１６の切換により、搬送ベルト１１７，１１８、反転ガイド１１９により反転搬送され、中間トレイ１２０上に一時載置され、そこから半月ローラ１２１、ローラ１２２などによりレジストローラ１０８に搬送され、前記同様の画像形成行程によりシートＰの他の一面に前記同様の画像像が転写され、定着される。
【００５２】
また、前記定着された同一面に再度画像を形成する場合には、フラッパ１２３によりシートＰは１２４方向に搬送され、前記両面画像形成時と同様にシートＰは搬送されて画像が形成される。
【図面の簡単な説明】
【００５３】
【図１】本発明に係る原稿給送装置を備える画像形成装置の外観図
【図２】本発明に係る原稿給送装置の断面図
【図３】本発明に係る原稿給送装置のセンサ配置の説明図
【図４】本発明に係る原稿給送装置の駆動系の説明図
【図５】本発明に係る原稿給送装置の部分詳細図
【図６】本発明に係る原稿給送装置の制御回路の説明図
【図７−ａ】本発明に係る原稿給送装置の動作図
【図７−ｂ】本発明に係る原稿給送装置の動作図
【図７−ｃ】本発明に係る原稿給送装置の動作図
【図７−ｄ】本発明に係る原稿給送装置の動作図
【図７−ｅ】本発明に係る原稿給送装置の動作図
【図７−ｆ】本発明に係る原稿給送装置の動作図
【図７−ｇ】本発明に係る原稿給送装置の動作図
【図８】本発明に係る原稿給送装置の動作タイミングチャート
【図９】本発明に係る原稿給送装置のスタンプ押印ユニットの詳細図
【図１０】本発明に係る原稿給送装置の画像光沢度検出ユニットの詳細図
【図１１】本発明に係る原稿給送装置の動作フローチャート
【図１２】本発明に係る原稿給送装置を適用可能な画像形成装置の正面図
【符号の説明】
【００５４】
１      給紙トレイ
２      排紙トレイ
３      幅方向規制板
４      紙押さえ板
５      給紙ローラ
６      紙ストッパ板
７      分離パッド
８      分離ローラ
９      レジストローラ
１０    ピンチローラ
１１    白色板
１２    排紙ローラ
１３    ピンチローラ
２０    スタンプ押印ユニット
２０ａ  プランジャ
２０ｂ  ソレノイド
３０    画像光沢度検出ユニット
３０ａ  光源
３０ｂ  フォトトランジスタ
２００  ＣＰＵ
３００  ＣＰＵ
３０１  ＩＣ
３０２，３０３  ドライバ
Ａ      原稿給送装置
Ｂ      本体（デジタル複合複写機）
Ｍ１    モータ
ＳＬ１  ソレノイド
ＣＬ１  ワンウェイクラッチ
ＰＩ１  原稿セット検知センサ
ＰＩ２  レジストセンサ
ＰＩ３  排紙センサ
【図１】
2006229687.tif 000003
【図２】
2006229687.tif 000004
【図３】
2006229687.tif 000005
【図４】
2006229687.tif 000006
【図５】
2006229687.tif 000007
【図６】
2006229687.tif 000008
【図７−ａ】
2006229687.tif 000009
【図７−ｂ】
2006229687.tif 000010
【図７−ｃ】
2006229687.tif 000011
【図７−ｄ】
2006229687.tif 000012
【図７−ｅ】
2006229687.tif 000013
【図７−ｆ】
2006229687.tif 000014
【図７−ｇ】
2006229687.tif 000015
【図９】
2006229687.tif 000016
【図１０】
2006229687.tif 000017
【図１１】
2006229687.tif 000018
【図１２】
2006229687.tif 000019
【図８】
2006229687.tif 000020